(57)【要約】      （修正有）【課題】公害を出さずクリーンなエネルギーを作り出す発電機を提供する。【解決手段】充電式カドニカ電池３に充電し、充電した電気をコード４を通してＤＣコンデンサー６に送りそこで電圧を上げると同時に直流を交流に変えてコード７を通してＡＣコンデンサー８に送りＡＣコンデンサーで再び電圧を上げてコード９を通してモーター１０を回してベルト１１で発電機１２を回して発電させて、その電気をコード１３を通してＤＣコンデンサー１４に送り、そこで直流を交流に変えてコード１５を通してＡＣコンデンサー１６により電圧を上げてコード１７を通して充電式カドニカ電池３に送りその電気を再び充電式カドニカ電池を通して４，６，７，８，９を通してモーター１０を回しベルト１１を使って発電機を回し電気を作り出す。その電気を１３，１４，１５，１６，１７を通して充電式カドニカ電池３に送り電気を巡回させて電気を作り出す。【選択図】図１
2008054485.tif 000002
【特許請求の範囲】
【請求項１】
充電式カドニカ電池でモーターを回し、そのモーターで発電機を回して電気を作り出して、ふたたび充電式電池に戻して電気を巡回させて発電させる方法。
【発明の詳細な説明】
【技術分野】
【０００１】本発明の発電機は従来の発電機と違い（図１）に示した３の充電式カドニカ電池で１０のモーターを回し、そのモーターで１２の発電機を回して電気を起こし、作り出された電気を３の充電式カドニカ電池に再び戻して、戻した電機を巡廻させながら電気を作り出すことができる発電機である。
【背景技術】
【０００２】発明した発電機は（図１）に示した３の充電式カドニカ電池に効率良く充電させてその充電させた電気を６のＤＣコンデンサー、８のＡＣコンデンサーでいかに電気の電圧、ボルトを上げることができるかが課題であったが、３の充電式カドニカ電池１５ボルトの電気を３０ボルトにあげることによりその３０ボルトの電気で回す１０の高速回転モーターを使用することにより６０ボルトの電気を起こすことのできる１２の発電機で電気を作り、１４のＤＣコンデンサーと１６のＡＣコンデンサーにより、電圧を１００ボルトまで上げて３の充電式カドニカ電池に送り、電気を巡廻させながら電気を作り出すことができるのである。
【詳細な説明】
【０００３】本発明の発電機は（図１）に表した平面図で詳細に説明する。１は発電機より３の充電式カドニカ電池に充電するためのコードで、３の充電式カドニカ電池に充電が終わることにより外電を切るための２のスイッチ。そのスイッチを切り、３の充電式カドニカ電池は１５ボルトの電池で充電式カドニカ電池に１５ボルトの電気を４のコードを通して６のＤＣコンデンサーへと送る。その時に５のスイッチを入れて電気を流す。３の充電式カドニカ電池の電気は直流の電気であるために６のＤＣコンデンサーにより直流の電気を交流の電気に変えてそこで電気の電圧を上げて７のコードを通して８のＡＣコンデンサーに電気を流しカドニカ電池の電気が１５ボルトであるため、６のＤＣコンデンサー８のＡＣコンデンサーにより、電気の電圧を３０ボルトに上げて９のコードを通して１０の高速回転モーターに電気を流してモーターを回して１１のベルトまたはシャフトで１２の発電機を回し電気を作り出す。１２の発電機で作り出された電気は６０ボルトにして発電機で作り出された電気は１３のコードを通して１４のＤＣコンデンサーに送り、そこで１２の発電機で作り出された電気６０ボルトの電気は直流の電気であるため１４のＤＣコンデンサーにより直流の電気を交流の電気に変えると共に電圧もあげ１５のコードを通して１６のＡＣコンデンサーへと電気を送りそこで１４のＤＣコンデンサー１６のＡＣコンデンサーで１００ボルトまで電圧を上げて１７のコードを通して１８のスイッチを入れて３の充電式カドニカ電池に電気を送り３の充電式カドニカ電池に充電する。１９はコードで１２の発電機より電気を取り２０のＤＣコンデンサーに電気を流して電圧を上げて２１のコードを通して２２のＡＣコンデンサーで電圧を上げ、２３のコードで電気器具に配電する。３の充電式カドニカ電池の１５ボルトの電気で６のＤＣコンデンサー、８のＡＣコンデンサーにより直流の電気を交流に変えるとともに３０ボルトの電気へと電圧を上げて１０の高速回転モーターを回して１２の発電機で６０ボルトの電気を作り出して１４のＤＣコンデンサー、１６のＡＣコンデンサーに１２の発電機で作り出された６０ボルトの電気を送りそこで１２の発電機で作り出された電気は直流の電気であるために１４のＤＣコンデンサー、１６のＡＣコンデンサーに電気を流すことにより交流の電気に変えると同時に電気の電圧を１００ボルトに上げて３の充電式カドニカ電池に送り３の充電式カドニカ電池に充電する。充電した電気は再び４のコード、６のＤＣコンデンサー、７のコード、８のＡＣコンデンサー、９のコード、１０のモーター、１１のベルト、１２の発電機、１３のコード、１４のＤＣコンデンサー、１５のコード、１６のＡＣコンデンサー１７のコードを通して電気を流して電気を巡回させながら電気を作り出すことができる。
【０００４】
【特許文献】
【非特許文献１】電池、バッテリーを使用してモーターを回す方法はトヨタ自動車、日産自動車、電気会社には日立、東芝といったところで作り出されている。
【特許文献２】発明の発電機はバッテリーや電気を使ってモーターを回して発電機を回し電気を起こし作り出す発電機で、従来と違うところはバッテリー電池を充電式に変えて充電式電池を通して電気を巡回させて発電機を回すことができる。
【発明の開示】
【０００５】本発明の発電機は図１に示した３の充電式カドニカ電池１５ボルトの電気であって、その１５ボルトの電気を６のＤＣコンデンサー、８のＡＣコンデンサーにより、３０ボルトに電圧を上げて１０の高速回転モーターを回してそのモーターで１２の発電機を回して、その発電機で６０ボルトの電気を起こし、作られた電気を１４のＤＣコンデンサー、１６のＡＣコンデンサーを電気を通すことにより１００ボルトの電気に電圧を上げてその１００ボルトの電気を３の充電式カドニカ電池に送り、その電気を再び６のＤＣコンデンサー、８のＡＣコンデンサー、１０のモーター、１２の発電機、１４のＤＣコンデンサー、１６のＡＣコンデンサーの順に電気を流し、電気を巡回させながら電気を起こし作り出すことができる。
【発明が解決しようとする課題】
【０００６】発明の発電機は現在作り出されている水力、火力、原子力に代わる電気エネルギーを作り出すために発明したのが発明の発電機である。現在作り出されているエネルギー電気は、火力発電、水力発電、原子力発電で作りだされているのが現状であり、それに変わる発電機はないものかと考え、発明したのが充電式カドニカ電池による発電機である。充電式カドニカ電池に充電するだけの電気エネルギーがあれば危険な原子力発電や資源の乏しい石油や石炭による発電はいらなくなるのである。風力による発電や、太陽電池により発電した電気で充電式カドニカ電池に充電するだけの電気エネルギーが作り出されることにより、電気エネルギーを生み出すことのできる発電機である。図１に示した３の充電式カドニカ電池に充電するだけの電気があれば３の充電式カドニカ電池の中を電気を巡回させて電気を作り出すことができるのである。３の充電式カドニカ電池に充電した電気を６のＤＣコンデンサー、８のＡＣコンデンサーへと電気を流し、そこで電圧を上げて１０の高速回転モーターを回しそのモーターで１２の発電機を回して電気を作り出し、その電気を１４のＤＣコンデンサー、１６のＡＣコンデンサーに流して電圧を上げて３の充電式カドニカ電池に電気を送り、その充電した電気をふたたび６のＤＣコンデンサー、８のＡＣコンデンサーに電気を送り、１０のモーターを回してそのモーターで１２の発電機を回し電気を作り出して１４のＤＣコンデンサー、１６のＡＣコンデンサーへと電気を流してその電気を３の充電式カドニカ電池に流して充電させてその電気を・・・以上説明したように電気を巡回させながら電気を作り出すことができる。
【課題を解決するための手段】
【０００７】現在は電気というエネルギーなしでは生きていけない時代であり、その電気を作り出すためには水力、火力、原子力といった具合に電気を作り出されている今日、原子力にしても火力に使う油や石炭などは無限にあるものではない。そこで発明したのが本発明の発電機である。充電式カドニカ電池に充電するだけのわずかなエネルギー電気で大きなエネルギー電気を生み出すことができるのである。火力、水力、原子力を使わず風力太陽熱により作り出された電気を充電式カドニカ電池に充電することにより大きな電気を作り出すことができると同時に自然を損なう公害も出さずにクリーンで新しい電気を作り出すことができて、発明した発電機を大型化することにより大きなものも動かすことができるのである。
【発明の効果】
【０００８】発明の発電機は現在使用されている電気エネルギーは資源の乏しい石油や石炭、原子力で作り出されている電気であるが、危険を伴うと同時に公害までも撒き散らすもので、また、使用された電気量などは途方もない莫大な金がかかりその課題を解決するため本発明の発電機を使用することによりまた発電機を大型化することにより工場やビル、船、電車などに利用することにより資源は壊すことなく公害も出さない発電機である。
図１で表したの充電式カドニカ電池に充電するだけの電気があればその充電式カドニカ電池により１０のモーターを回し、１０ののモーターで１２の発電機を回し発電させて作り出された電気を３の充電式カドニカ電池に電気を戻してその電気を巡回させることにより受動的に発電させて電気を作り出すことができて産業上コストがかからず火力発電や原子力発電を稼動させることなく安全で公害を出さない発電機である。
【図面の簡単な説明】
【０００９】
【図１】本発明の配線機器の配置平面図
【符号の説明】
【００１０】１、      コード
２、      スイッチ
３、      充電式カドニカ電池
４、      コード
５、      スイッチ
６、      ＤＣコンデンサー
７、      コード
８、      ＡＣコンデンサー
９、      コード
１０、    モーター
１１、    ベルト
１２、    発電機
１３、    コード
１４、    ＤＣコンデンサー
１５、    コード
１６、    ＡＣコンデンサー
１７、    コード
１８、    スイッチ
１９、    コード
２０、    ＤＣコンデンサー
２１、    コード
２２、    ＡＣコンデンサー
２３、    コード
【図１】
2008054485.tif 000003